(57)【要約】【課題】本発明は、部品等の組み付けにおいて、外部からは不正器具が挿入されたとしてもその部品等を取り外しにくく、且つ、内部からは部品のリサイクルの要求に応じて誰にでも容易にその部品等を取り外すことができる構造を提供することを課題に挙げる。【解決手段】本発明は、前面に開口を有し内部に複数の遊技装置を収容する箱体と、前記箱体に開閉可能に軸支された扉体と、からなる筐体と、遊技台を構成する構成部材と、前記筐体内部に設けられた被係止部と、前記構成部材に備えられ、前記被係止部と係わり合う位置に係止部を設けた係止部材と、を備えた遊技台であって、前記係止部材の係止状態を変化させる規制部材を更に備え、前記規制部材は、前記係止部材を前記被係止部に係止する規制位置と、前記係止部材を前記被係止部に係止しない非規制位置と、を移動可能に設けられ、前記規制部材は更に、前記規制部材を変位させる操作力を受容する操作部を有することを特徴とする。【選択図】図２
2010214026.tif 000002
【特許請求の範囲】
【請求項１】
前面に開口を有し内部に複数の遊技装置を収容する箱体と、前記箱体に開閉可能に軸支された扉体と、からなる筐体と、
遊技台を構成する構成部材と、
前記筐体内部に設けられた被係止部と、
前記構成部材に備えられ、前記被係止部と係わり合う位置に係止部を設けた係止部材と、
を備えた遊技台であって、
前記係止部材の係止状態を変化させる規制部材を更に備え、
前記規制部材は、前記係止部材を前記被係止部に係止する規制位置と、前記係止部材を前記被係止部に係止しない非規制位置と、を移動可能に設けられ、前記規制部材は更に、前記規制部材を変位させる操作力を受容する操作部を有することを特徴とする遊技台。
【請求項２】
前記筐体は、前記係止部材を前記筐体の外部から挿入可能な挿入口を備え、
前記挿入口は、前記係止部材に設けられた係止部よりも大きいことを特徴とする請求項１に記載の遊技台。
【請求項３】
前記規制部材は、前記被係止部の近傍に軸支され、前記係止部材の前記挿入口に挿入される方向への移動を当接により規制する挿入規制部を更に備えたことを特徴とする請求項１または２に記載の遊技台。
【請求項４】
前記規制部材を前記規制位置に保持する保持部材を更に備えたことを特徴とする請求項１乃至３のうちのいずれか１項に記載の遊技台。
【請求項５】
前記係止部材は、前記構成部材と一体的に成型されたことを特徴とする請求項１乃至４のうちのいずれか１項に記載の遊技台。
【請求項６】
前記規制部材は、前記被規制位置において、前記挿入口の壁面を構成するように備えられることを特徴とする請求項１乃至５のうちのいずれか１項に記載の遊技台。
【請求項７】
前記規制部材は、前記筐体に備えられた遊技装置からなることを特徴とする請求項１乃至６のうちのいずれか１項に記載の遊技台。
【請求項８】
前記規制位置及び前記非規制位置の近傍に、前記規制部材の移動範囲を所定の領域に限定する移動規制部材を設けたことを特徴とする請求項１乃至７のうちのいずれか１項に記載の遊技台。
【請求項９】
前記規制位置及び前記非規制位置の近傍に前記規制部材による規制状態を表す規制状態表示部を設けたことを特徴とする請求項１乃至８のうちのいずれか１項に記載の遊技台。
【請求項１０】
前記遊技台がスロットマシンであることを特徴とする請求項１乃至８のうちのいずれか１項に記載の遊技台。
【発明の詳細な説明】
【技術分野】
【０００１】
本発明は、本発明は、スロットマシン（パチスロ機）に代表される遊技台に関する。
【背景技術】
【０００２】
従来、遊技台の部品の組み付けを行う際に、一方の部品に設けられた係止爪をもう一方の被係止部に係止することで部品の組み付けを行うことがあった。たとえば遊技台の前面扉に配置されたランプ等の照明をクリアカバー等で覆う際には、クリアカバーの端部に設けられた係止爪を前面扉に設けられた挿入口に挿入し、内部に設けられた被係止部と係止爪とが係止することで、クリアカバーの固定がされていた。
【０００３】
たとえば特許文献１には、遊技機における前扉本体に対する表示パネル部の組み付けについて記載されている。この特許文献１によれば、前扉本体と表示パネル部の隙間から薄型の不正器具が挿入されることによって前扉本体から表示パネル部が外されやすいことを問題視し、筐体に前扉本体を施錠した状態で、前扉本体と表示パネル部の隙間から薄型の不正器具が挿入されて前扉本体から表示パネル部が外されるのを防止することを目的とし、表示パネル部の突起部の係止爪が前扉本体の突起部挿入孔に係止した状態において突起部挿入孔内に抜止ロック部材を挿入する構成を開示している。この構成によれば、係止爪の係止を解除する側へ突起部が湾曲するのを抜止ロック部材が抑制し、前扉本体と表示パネル部の隙間から薄型の不正器具が挿入されたとしても、係止爪の係止を解除することができず、遊技機の筐体に前扉本体を施錠した状態で表示パネル部が外されるのを防止することができる。
【先行技術文献】
【特許文献】
【０００４】
【特許文献１】特開２００７−２０２８５４号公報
【発明の概要】
【発明が解決しようとする課題】
【０００５】
ところで遊技台においては、コストの低減や資源の有効活用のために、リサイクル可能な部品等について極力リサイクルすることが望ましい。たとえば遊技台の新機種を製造する際に、上述のクリアカバー等の部品だけ新機種用の装飾等をしたものにし、筐体自体は従来機種のものを再利用することが考えられる。
【０００６】
この場合、新機種の製造工程において、従来機種の筐体から従来機種のクリアカバー等を取り外す工程が必要となる。したがって、新機種の製造工程を効率よくスムーズに進めるためには、クリアカバー等を取り外す作業が誰にでも容易に行えるものであることが望ましい。
【０００７】
これに対して、上述の特許文献１に記載の従来技術においては、前扉本体と表示パネル部の隙間から薄型の不正器具が挿入されたとしても、係止爪の係止を解除することができない構造を開示している。すなわち従来は、クリアカバー等を外部から容易に取り外すことができない構造については開示されているものの、部品等のリサイクルについては何ら考慮されておらず、作業効率が悪いものであった。
【０００８】
本発明の目的は、部品等の組み付けにおいて、外部からは不正器具が挿入されたとしてもその部品等を取り外しにくく、且つ、内部からは部品のリサイクルの要求に応じて誰にでも容易にその部品等を取り外すことができる構造を提供することにある。
【課題を解決するための手段】
【０００９】
本発明は上記の目的を達成するために、前面に開口を有し内部に複数の遊技装置を収容する箱体と、前記箱体に開閉可能に軸支された扉体と、からなる筐体と、遊技台を構成する構成部材と、前記筐体内部に設けられた被係止部と、前記構成部材に備えられ、前記被係止部と係わり合う位置に係止部を設けた係止部材と、を備えた遊技台であって、前記係止部材の係止状態を変化させる規制部材を更に備え、前記規制部材は、前記係止部材を前記被係止部に係止する規制位置と、前記係止部材を前記被係止部に係止しない非規制位置と、を移動可能に設けられ、前記規制部材は更に、前記規制部材を変位させる操作力を受容する操作部を有することを特徴とする。
【００１０】
また本発明は、前記筐体は、前記係止部材を前記筐体の外部から挿入可能な挿入口を備え、前記挿入口は、前記係止部材に設けられた係止部よりも大きいことを特徴とする。
【００１１】
また本発明は、前記規制部材は、前記被係止部の近傍に軸支され、前記係止部材の前記挿入口に挿入される方向への移動を当接により規制する挿入規制部を更に備えたことを特徴とする。
【００１２】
また本発明は、前記規制部材を前記規制位置に保持する保持部材を更に備えたことを特徴とする。
【００１３】
また本発明は、前記係止部材は、前記構成部材と一体的に成型されたことを特徴とする。
【００１４】
また本発明は、前記規制部材は、前記被規制位置において、前記挿入口の壁面を構成するように備えられることを特徴とする。
【００１５】
また本発明は、前記規制部材は、前記筐体に備えられた遊技装置からなることを特徴とする。
【００１６】
また本発明は、前記規制位置及び前記非規制位置の近傍に、前記規制部材の移動範囲を所定の領域に限定する移動規制部材を設けたことを特徴とする。
【００１７】
また本発明は、前記規制位置及び前記非規制位置の近傍に前記規制部材による規制状態を表す規制状態表示部を設けたことを特徴とする。
【００１８】
また本発明は、前記遊技台がスロットマシンであることを特徴とする。
【発明の効果】
【００１９】
本発明によれば、規制部材が係止部材を被係止部の方向へと押圧することで、係止部材に設けられた係止部と被係止部とが係止され、遊技部材の組み付けが可能となる。
【００２０】
また、規制部材を移動させるだけで部品の組み付け・取外しを容易に行うことができるため、遊技台をリサイクルする場合の部材交換にかかる手間や時間を削減することができる。
【００２１】
また、規制部材が規制位置にある場合には係止爪すなわち係止部の動作が規制されるため、外部から不正器具等によって係止部の設けられた遊技部材に力を加えても係止部が変形することがなく、遊技台に組み付けられた部品の外部からの取外しを防止することができる。
【図面の簡単な説明】
【００２２】
【図１】本発明に係るスロットマシン１００の外観斜視図である。
【図２】クリアカバー１６５の構成を示す図であり、（ａ）はクリアカバー１６５を前面扉１０２から取り外した状態を示す斜視図であり、（ｂ）はクリアカバー１６５を前面扉１０２に組み付けた状態を示す斜視図である。
【図３】クリアカバー１６５を前面扉１０２に組み付けた状態を示す図であり、（ａ）は、前面扉１０２を本体１０１に対して開いた内側から見た背面図であり、（ｂ）は、（ａ）のＡ−Ａ’位置の側断面図である。
【図４】クリアカバー１６５の係止舌片１６８を挿入口１６９に挿入して被係止部１６７ａに係止する様子を拡大して示す図であり、（ａ）は、係止舌片１６８を挿入口１６９に挿入している途中の状態を示す側断面図であり、（ｂ）は、（ａ）の状態を、前面扉１０２を本体１０１に対して開いた内側から見た背面図であり、（ｃ）は、係止舌片１６８を挿入口１６９に挿入し終えた状態を示す側断面図であり、（ｄ）は、（ｃ）の状態を、前面扉１０２を本体１０１に対して開いた内側から見た背面図であり、（ｅ）は、（ｃ）の状態から規制部材１７０を移動させて係止舌片１６８を被係止部１６７ａに係止した状態を示す側断面図であり、（ｆ）は、（ｅ）の状態を、前面扉１０２を本体１０１に対して開いた内側から見た背面図である。
【図５】タイトルパネル１６２の構成を示す図であり、（ａ）は、タイトルパネル１６２を前面扉１０２から取り外した状態を示す斜視図であり、（ｂ）は、タイトルパネル１６２の係止舌片１１６８を挿入口１１６９に挿入した状態を示す側断面図であり、（ｃ）は、タイトルパネル１６２の係止舌片１１６８の係止部１１６８ｂを被係止部１１６７ａに係止して組み付けを完了した状態を示す側断面図である。
【図６】ＭＡＸベットボタン１３２の構成を示す図であり、係止舌片２１６８の形状を示す斜視図である。
【図７】係止部周辺を示す図であり、（ａ）は、図６の係止舌片２１６８を開口２１６７ａ内の挿入口２１６９に挿入した状態を示す側断面図であり、（ｂ）は、（ａ）の状態を、前面扉１０２を本体１０１に対して開いた内側から見た背面図であり、（ｃ）は、係止舌片２１６８の係止部２１６８ａを被係止部２１６７ｂに係止して組み付けを完了した状態を示す側断面図であり、（ｄ）は、（ｃ）の状態を、前面扉１０２を本体１０１に対して開いた内側から見た背面図である。
【図８】係止部周辺を示す図であり、（ａ）は、係止舌片４１６８を挿入口４１６９に挿入した状態を示す側断面図であり、（ｂ）は、（ａ）の状態を、遊技台の内側から見た背面図であり、（ｃ）は、係止舌片４１６８の係止部４１６８ａを被係止部４１６７ａに係止して組み付けを完了した状態を示す側断面図であり、（ｄ）は、（ｃ）の状態を、遊技台の内側から見た背面図である。
【図９】係止部周辺を示す図であり、（ａ）は、係止舌片５１６８を挿入口５１６９に挿入した状態を示す側断面図であり、（ｂ）は、（ａ）の状態を、遊技台の内側から見た背面図であり、（ｃ）は、係止舌片５１６８の係止部５１６８ａを被係止部５１６７ａに係止して組み付けを完了した状態を示す側断面図であり、（ｄ）は、（ｃ）の状態を、遊技台の内側から見た背面図である。
【図１０】クリアカバー１６５の係止舌片６１６８を挿入口６１６９に挿入して被係止部６１７０ｂに係止する様子を拡大して示す図であり、（ａ）は、係止舌片６１６８を挿入口６１６９に挿入している途中の状態を示す側断面図であり、（ｂ）は、（ａ）の状態を、前面扉１０２を本体１０１に対して開いた内側から見た背面図であり、（ｃ）は、係止舌片６１６８を挿入口６１６９に挿入し終えた状態を示す側断面図であり、（ｄ）は、（ｃ）の状態を、前面扉１０２を本体１０１に対して開いた内側から見た背面図であり、（ｅ）は、（ｃ）の状態から規制部材６１７０を移動させて係止舌片６１６８を被係止部６１７０ｂに係止した状態を示す側断面図であり、（ｆ）は、（ｅ）の状態を、前面扉１０２を本体１０１に対して開いた内側から見た背面図である。
【発明を実施するための形態】
【００２３】
以下、図面を用いて、本発明の実施例に係るスロットマシン（遊技台）について詳細に説明する。
【００２４】
＜全体構成＞
まず、図１を用いて、本発明に係るスロットマシン１００の全体構成について説明する。なお、同図はスロットマシン１００の外観斜視図を示したものである。
【００２５】
図１に示すスロットマシン１００は、本体１０１と、本体１０１の正面に取付けられ、本体１０１に対して開閉可能な前面扉１０２と、を備える。本体１０１の中央内部には、外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置（図示省略）により回転駆動される。
【００２６】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００２７】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部および受光部から成る光学式センサ（図示省略）が設けられており、この光学式センサの投光部と受光部との間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００２８】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００２９】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００３０】
ベットボタン１３０、１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３２が押下されると３枚投入されるようになっている。以下、ベットボタン１３２はＭＡＸベットボタンとも言う。
【００３１】
なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００３２】
メダル投入口１４１は、遊技を開始するに当たって遊技者がメダルを投入するための投入口である。すなわち、メダルの投入は、ベットボタン１３０、１３２により電子的に投入することもできるし、メダル投入口１４１から実際のメダルを投入（投入操作）することもでき、投入とは両者を含む意味である。
【００３３】
貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００３４】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００３５】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。
【００３６】
以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００３７】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。
【００３８】
ドアキー孔１４０は、スロットマシン１００の前面扉１０２のロックを解除するためのキーを挿入する孔である。
【００３９】
ストップボタンユニット１３６の下部には、機種名の表示と各種証紙の貼付とを行うタイトルパネル１６２が設けられている。タイトルパネル１６２の下部には、メダル払出口１５５、メダル受皿１６１が設けられている。
【００４０】
前面扉１０２の左右各部に設けられたサイドランプ１４４は遊技を盛り上げるための装飾用のランプである。
【００４１】
前面扉１０２の上部には、演出装置１６０が設けられている。この演出装置１６０は、後述する可動演出装置１６６を備え、また、この可動演出装置１６６を覆い、内部の可動演出装置１６６が視認可能なクリアカバー１６５が組み付けられている。
【００４２】
本発明は、遊技台（スロットマシン１００）において、遊技台を構成する構成部材を、遊技台の箱体（本体１０１）と扉体（前面扉１０２）とからなる筐体に組み付ける際の構成に特徴を有する。
【００４３】
＜＜実施例１＞＞
実施例１では、遊技台を構成する構成部材としてのクリアカバー１６５を前面扉１０２に組み付ける際の構成を例に説明する。
【００４４】
図２は、クリアカバー１６５の構成を示す図であり、（ａ）はクリアカバー１６５を前面扉１０２から取り外した状態を示す斜視図であり、（ｂ）はクリアカバー１６５を前面扉１０２に組み付けた状態を示す斜視図である。
【００４５】
図１に示したように、前面扉１０２の上部には演出装置１６０が設けられている。
【００４６】
演出装置１６０は、内部にスピーカ（図示せず）を有し前面扉１０２に固着した演出装置基部１６７を備え、この演出装置基部１６７の左右両側に可動演出装置１６６を嵌め込み、その後、演出装置基部１６７や可動演出装置１６６を覆い被せるようにクリアカバー１６５を組み付けて構成されている（図２（ａ）、図２（ｂ）参照）。
【００４７】
可動演出装置１６６は、それ自体が音響を発するものではないが、ソレノイドによって可動し、たとえば音響に合わせて遊技者が視認可能な程度の振動を発生させ、遊技上の演出を行う。
【００４８】
クリアカバー１６５は、その端部に係止部材としての係止舌片１６８を有する。係止舌片１６８はクリアカバー１６５と一体成型で形成するものであることが望ましい。クリアカバー１６５を前面扉１０２に組み付ける際には、この係止舌片１６８を演出装置基部１６７に設けられた挿入口１６９に挿入させ、係止舌片１６８の係止部１６８ａ（後述する）を挿入口１６９の奥の被係止部１６７ａ（後述する）に係止することによって組み付ける。
【００４９】
なお、本実施例では、係止舌片１６８および挿入口１６９を左右両側に一つずつ設け、この２か所で、クリアカバー１６５の前面扉１０２への係止を行う。
【００５０】
図３は、クリアカバー１６５を前面扉１０２に組み付けた状態を示す図であり、（ａ）は、前面扉１０２を本体１０１に対して開いた内側から見た背面図であり、（ｂ）は、（ａ）のＡ−Ａ’位置の側断面図である。
【００５１】
詳しくは後述するが、前面扉１０２を本体１０１に対して開いた内側において、挿入口１６９に挿入された係止舌片１６８は、変位可能な規制部材１７０によって係止状態を変化させられる。すなわち、規制部材１７０は、係止舌片１６８を被係止部１６７ａに係止しない非規制位置と、係止舌片１６８を被係止部１６７ａに係止する規制位置と、を移動可能に構成されている。
【００５２】
図４は、クリアカバー１６５の係止舌片１６８を挿入口１６９に挿入して被係止部１６７ａに係止する様子を拡大して示す図であり、（ａ）は、係止舌片１６８を挿入口１６９に挿入している途中の状態を示す側断面図であり、（ｂ）は、（ａ）の状態を、前面扉１０２を本体１０１に対して開いた内側から見た背面図であり、（ｃ）は、係止舌片１６８を挿入口１６９に挿入し終えた状態を示す側断面図であり、（ｄ）は、（ｃ）の状態を、前面扉１０２を本体１０１に対して開いた内側から見た背面図であり、（ｅ）は、（ｃ）の状態から規制部材１７０を移動させて係止舌片１６８を被係止部１６７ａに係止した状態を示す側断面図であり、（ｆ）は、（ｅ）の状態を、前面扉１０２を本体１０１に対して開いた内側から見た背面図である。
【００５３】
図４（ａ）を参照すると、演出装置基部１６７に設けられた挿入口１６９は、係止舌片１６８の係止部１６８ａよりも大きく開いており、係止舌片１６８を挿入口１６９に挿入する際に何ら抵抗なく挿入することができる。このように挿入口１６９を予めクリアカバー１６５の係止舌片１６８よりも大きく形成することで、挿入の際に係止舌片１６８に応力が加わって変形させてしまうことや、破断する虞をなくしている。
【００５４】
図４（ｂ）を参照すると、規制部材１７０は、挿入口１６９の近傍に、軸１７０ａを中心に回動自在に軸支される。この規制部材１７０は、規制部材１７０を回動させる操作力を受容する操作部１７０ｃを有し、クリアカバー１６５の組み付けを行う作業者はこの操作部１７０ｃを操作して、規制部材１７０を規制位置と非規制位置との間で回動させる。図４（ｂ）に示す係止舌片１６８を挿入口１６９に挿入する際には、規制部材１７０は、係止舌片１６８を被係止部１６７ａに係止しない非規制位置にある。
【００５５】
図４（ｃ）を参照すると、係止舌片１６８を挿入口１６９に挿入すると、係止舌片１６８の挿入規制部である肩部１６８ｂが、演出装置基部１６７の挿入規制部である端部１６７ｂに当接し、係止舌片１６８の挿入口１６９に対する挿入方向への移動を規制する。この状態での背面から見た様子は図４（ｄ）に示すとおりである。このように、肩部１６８ｂが端部１６７ｂに当接することによって、これ以上奥には差し込めなくなっている。係止舌片１６８の長さを挿入口１６９の深さとほぼ同一にすることで、固定の位置を合わせることが可能となる。
【００５６】
この後、作業者は、操作部１７０ｃを操作して規制部材１７０を図における反時計回りに回動させる。演出装置基部１６７には移動規制部１６７ｃが設けられており、規制部材１７０には移動規制部１７０ｄが設けられている。作業者が規制部材１７０を回動させていくと、規制部材１７０の端部１７０ｂが係止舌片１６８を押し上げて上方の壁面へと押圧して固定した位置で、移動規制部１６７ｃが移動規制部１７０ｄに嵌り、規制部材１７０がこれ以上に回動しないように移動を規制する（図４（ｅ）、（ｆ）参照）。このとき、規制部材１７０は、係止舌片１６８を被係止部１６７ａに係止する規制位置にある。移動規制部１６７ｃが移動規制部１７０ｄに嵌ることにより、規制部材１７０は、規制位置に保持される。
【００５７】
図４（ｅ）を参照すると、規制部材１７０の端部１７０ｂが係止舌片１６８を押し上げることによって、係止舌片１６８の係止部１６８ａを挿入口１６９の奥の被係止部１６７ａに係止する。すなわち、係止部１６８ａが、被係止部１６７ａに当接し、係止舌片１６８の挿入口１６９からの抜き取り方向への移動を規制する。
【００５８】
クリアカバー１６５を取り外す際には前述の手順を逆に行えばよく、規制部材１７０を時計回りに回動させることで端部１７０ｂによる係止舌片１６８の押し上げを解除すると、自重によってクリアカバー１６５が下がり、係止状態も解除され、そのまま引き抜くだけでクリアカバー１６５を取り外すことができる。このため、交換や組み付けにかかる時間や手間を減少させることができる。
【００５９】
従来の係止爪による係止による組み付けでは、挿入口への挿入・抜き取りの際に係止爪を変形させる必要があったため、変形に力を有し、作業効率が低下していた（係止を解除するためにも力がいるし、挿入口の抜き差しの際にも力がかかっていた。）。また、係止爪を変形させるにしても、係止爪は目立つ形状ではないため、図３（ａ）に示したように複雑な部品がたくさん設けられた前面扉の内側において係止爪を見つけ出すのは容易ではなく、熟練が必要であった。これに対して、本実施例では、見つけ出すのが容易な形状の規制部材を回動させるだけで、係止が解除され、何ら力を必要とせずに作業を完了することができる。また、規制部材を他の周辺部品等と異なる色にすれば、規制部材の視認性を向上させ、作業効率を向上させることができる。
【００６０】
また、従来の弾性力を利用して係止を行う構造の場合、係止部が背面すなわち前面扉の内側に設けられていても、前面の挿入口近傍に不正器具挿入などによって力をかけると係止爪が変形し、クリアカバーの部材を取り外されてしまう虞があった。しかし、本実施例の構成によれば、規制部材が係止部をしっかりと被係止部に固定しているため、不正器具挿入を挿入する隙間もなく、前面から力を加えても外されることはない。
【００６１】
すなわち、本実施例によれば、クリアカバーの組み付け、交換作業の作業性の向上、効率向上とともに、前面からの不正な取り外しを防止することができるという効果を奏する。
【００６２】
また、本実施例によれば、移動規制部１６７ｃおよび１７０ｄを設けることで、規制部材１７０を規制位置と非規制位置との間のみを移動可能にできるため、作業のチェック時に一瞬で取り付け状態のチェックを行うことができる。また、規制部材１７０が係止舌片１６８を適切に押し上げる位置を規制位置とし、移動規制部１６７ｃおよび１７０ｄで規制部材１７０がこの規制位置で止まるようにしたので、係止舌片１６８に必要以上の押圧が加えられることがない。
【００６３】
また、本実施例によれば、図４（ａ）等に示したように本実施例では係止舌片１６８は変形しておらず、クリアカバー１６５全体が歪むことで係止舌片１６８の位置が変化している。このため、クリアカバー１６５全体という大きな部材に応力がかかり応力が分散されるため、部材が損傷するといった問題がない。
【００６４】
なお、クリアカバーの組み付けにおいて、クリアカバーに複数の挿入舌片を設け、そのそれぞれに対応する複数の挿入口を演出装置基部に設けた場合、その組み合わせのすべてにおいて、上述のような係止を行ってもよいし、一部の組み合わせでだけ係止を行い、他の組み合わせでは係止せず単に挿入するだけの抜き差し自在に構成していてもよい。
【００６５】
＜＜実施例２＞＞
実施例２では、遊技台を構成する構成部材としてのタイトルパネル１６２を、バックライト基板１６２ａを介挿して前面扉１０２に組み付ける際の構成を例に説明する。
【００６６】
図５は、タイトルパネル１６２の構成を示す図であり、（ａ）は、タイトルパネル１６２を前面扉１０２から取り外した状態を示す斜視図であり、（ｂ）は、タイトルパネル１６２の係止舌片１１６８を挿入口１１６９に挿入した状態を示す側断面図であり、（ｃ）は、タイトルパネル１６２の係止舌片１１６８の係止部１１６８ｂを被係止部１１６７ａに係止して組み付けを完了した状態を示す側断面図である。
【００６７】
タイトルパネル１６２は、その端部に係止部材としての係止舌片１１６８を有する。タイトルパネル１６２を前面扉１０２に組み付ける際には、この係止舌片１１６８を基部１１６７に設けられた挿入口１１６９に挿入させ、係止舌片１１６８の係止部１１６８ｂを挿入口１１６９の奥の被係止部１１６７ａに係止することによって組み付ける。
【００６８】
なお、本実施例では、係止舌片１１６８および挿入口１１６９を左右両側に一つずつ設け、この２か所で、タイトルパネル１６２の前面扉１０２への係止を行う。
【００６９】
前面扉１０２を本体１０１に対して開いた内側において、挿入口１１６９に挿入された係止舌片１１６８は、変位可能な規制部材１１７０によって係止状態を変化させられる。すなわち、規制部材１１７０は、係止舌片１１６８を被係止部１１６７ａに係止しない非規制位置と、係止舌片１１６８を被係止部１１６７ａに係止する規制位置と、を移動可能に構成されている。
【００７０】
図５（ａ）を参照すると、基部１１６７に設けられた挿入口１１６９は、係止舌片１１６８の係止部１１６８ｂよりも大きく開いており、係止舌片１１６８を挿入口１１６９に挿入する際に何ら抵抗なく挿入することができる。このように挿入口１１６９を予めタイトルパネル１６２の係止舌片１６８よりも大きく形成することで、挿入の際に係止舌片１１６８に応力が加わって変形させてしまうことや、破断する虞をなくしている。
【００７１】
規制部材１１７０は、挿入口１１６９の近傍に、移動自在に設けられる。タイトルパネル１６２の組み付けを行う作業者は、規制部材１１７０を規制位置と非規制位置との間で移動させる。係止舌片１１６８を挿入口１１６９に挿入する際には、規制部材１１７０は、係止舌片１１６８を被係止部１１６７ａに係止しない非規制位置にある。
【００７２】
係止舌片１１６８を挿入口１１６９に挿入すると、係止舌片１１６８の挿入規制部である先端部１１６８ａが、規制部材１１７０の挿入規制部である端部１１７０ａに当接し、係止舌片１１６８の挿入口１１６９に対する挿入方向への移動を規制する。このように、先端部１１６８ａが端部１１７０ａに当接することによって、これ以上奥には差し込めなくなっている。
【００７３】
この後、作業者は、規制部材１１７０を規制位置に移動させると、規制部材１１７０の肩部１１７０ｂが係止舌片１１６８を湾曲させて押し上げる。これによって、係止舌片１１６８の係止部１１６８ｂを挿入口１１６９の奥の被係止部１１６７ａに係止する。すなわち、係止部１１６８ｂが、被係止部１１６７ａに当接し、係止舌片１１６８の挿入口１１６９からの抜き取り方向への移動を規制する。
【００７４】
タイトルパネル１６２を取り外す際には前述の手順を逆に行えばよく、規制部材１１７０を移動させることで肩部１１７０ｂによる係止舌片１１６８の押し上げを解除すると、係止舌片１１６８の湾曲が解除され元の直状に戻り、係止状態も解除され、そのまま引き抜くだけでタイトルパネル１６２を取り外すことができる。このため、交換や組み付けにかかる時間や手間を減少させることができる。すなわち、本実施例においても、実施例１と同様に、タイトルパネル１６２の組み付け、交換時において、余計な力を必要とせずに作業することができ、作業性を向上することができる。
【００７５】
＜＜実施例３＞＞
実施例３では、遊技台を構成する構成部材としてのＭＡＸベットボタン１３２を、前面扉１０２に組み付ける際の構成を例に説明する。
【００７６】
図６は、ＭＡＸベットボタン１３２の構成を示す図であり、係止舌片２１６８の形状を示す斜視図である。
【００７７】
また、図７は、係止部周辺を示す図であり、（ａ）は、図６の係止舌片２１６８を開口２１６７ａ内の挿入口２１６９に挿入した状態を示す側断面図であり、（ｂ）は、（ａ）の状態を、前面扉１０２を本体１０１に対して開いた内側から見た背面図であり、（ｃ）は、係止舌片２１６８の係止部２１６８ａを被係止部２１６７ｂに係止して組み付けを完了した状態を示す側断面図であり、（ｄ）は、（ｃ）の状態を、前面扉１０２を本体１０１に対して開いた内側から見た背面図である。
【００７８】
ＭＡＸベットボタン１３２は、その形状と対応して前面扉１０２の基部２１６７に設けられた開口２１６７ａに、押下検出センサ１３２ａとともに挿入されて組み付けられる。
【００７９】
ＭＡＸベットボタン１３２は、その下端部に係止部材としての係止舌片２１６８を有する。係止舌片２１６８は、図６に示すように、外部から何ら力がかからないときに湾曲した形状をしている。
【００８０】
ＭＡＸベットボタン１３２を前面扉１０２に組み付ける際には、この係止舌片２１６８を基部２１６７の開口２１６７ａ内に設けられた挿入口２１６９に挿入させ、係止舌片２１６８の係止部２１６８ａを挿入口２１６９の奥の被係止部２１６７ｂに係止することによって組み付ける。
【００８１】
前面扉１０２を本体１０１に対して開いた内側において、挿入口２１６９に挿入された係止舌片２１６８は、変位可能な規制部材２１７０によって係止状態を変化させられる。すなわち、規制部材２１７０は、係止舌片２１６８を被係止部２１６７ａに係止しない非規制位置と、係止舌片２１６８を被係止部２１６７ａに係止する規制位置と、を移動可能に構成されている。
【００８２】
基部２１６７の開口２１６７ａ内に設けられた挿入口２１６９は、湾曲形状の係止舌片２１６８よりも大きく開いており、係止舌片２１６８を挿入口２１６９に挿入する際に何ら抵抗なく挿入することができる（図７（ａ）参照）。なお、本実施例では、挿入口２１６９の一方の壁面を規制部材２１７０で形成している。このように挿入口２１６９を予めＭＡＸベットボタン１３２の係止舌片２１６８よりも大きく形成することで、挿入の際に係止舌片２１６８に応力が加わって変形させてしまうことや、破断する虞をなくしている。
【００８３】
図７（ｂ）を参照すると、規制部材２１７０は、扇形の部材であり、軸２１７０ｃを中心に回動自在に軸支される。この規制部材２１７０は、規制部材２１７０を回動させる操作力を受容する凸形状の操作部２１７０ａおよび２１７０ｂを有し、ＭＡＸベットボタン１３２の組み付けを行う作業者はこの操作部２１７０ａおよび２１７０ｂを操作して、規制部材２１７０を規制位置と非規制位置との間で回動させる。図７（ａ）および（ｂ）に示す係止舌片２１６８を挿入口２１６９に挿入する際には、規制部材２１７０は、係止舌片２１６８を被係止部２１６７ｂに係止しない非規制位置にある。なお、本実施例では、規制状態表示部２１７０ｆを有し、規制状態表示部２１７０ｆによって扇形の規制部材２１７０の回動に応じて現在の規制状態を表示する。規制部材２１７０が非規制位置にある場合、規制状態表示部２１７０ｆにおいて、規制部材２１７０は、現在の規制状態である「開の丸印」を視認可能にし、現在の規制状態ではない「閉の丸印」を目隠しする。
【００８４】
なお、規制部材２１７０は、扇形の周方向で厚みの異なる形状をしている。詳しくは、操作部２１７０ａの位置では薄く、操作部２１７０ｂに近づくにつれ、徐々に挿入口２１６９を狭めるように厚くなっている。
【００８５】
この後、作業者は、操作部２１７０ａまたは２１７０ｂを操作して規制部材２１７０を図における時計回りに回動させる。基部２１６７には移動規制部２１６７ｃおよび２１６７ｄが設けられており、規制部材２１７０を回動させるとその端部が移動規制部２１６７ｃまたは２１６７ｄに当接し、それ以上に回動不可能に構成されている。
【００８６】
作業者が規制部材２１７０を回動させていくと、規制部材２１７０の厚みにより挿入口２１６９が狭まり、規制部材２１７０の押圧部２１７０ｇが係止舌片２１６８を基部２１６７側に押し付けて壁面へと押圧して固定した位置で、規制部材２１７０が移動規制部２１６７ｃに当接し、規制部材１７０がこれ以上に回動しないように移動を規制する（図７（ｃ）、（ｄ）参照）。このとき、規制部材２１７０は、係止舌片２１６８を被係止部２１６７ｂに係止する規制位置にある。
【００８７】
この状態で、規制部材２１７０の押圧部２１７０ｇが係止舌片２１６８を押し付けることによって、係止舌片２１６８の係止部２１６８ａを挿入口２１６９の奥の被係止部２１６７ｂに係止する。すなわち、係止部２１６８ａが、被係止部２１６７ｂに当接し、係止舌片２１６８の挿入口２１６９からの抜き取り方向への移動を規制する。このとき、規制状態表示部２１７０ｆにおいて、規制部材２１７０は、現在の規制状態である「閉の丸印」を視認可能にし、現在の規制状態ではない「開の丸印」を目隠しする。
【００８８】
なお、規制部材２１７０が規制位置または非規制位置にない場合には、規制状態表示部２１７０ｆにおいて、その表示が完全に露出しないようにすれば（「開の丸印」や「閉の丸印」の一部が規制部材２１７０に隠れて読みづらい状態）、規制状態表示部２１７０ｆの見え方で、規制部材２１７０が規制位置または非規制位置にないことがわかり、規制部材２１７０を規制位置または非規制位置にまで回動させるための補助とすることができ、またＭＡＸベットボタン１３２の取り付け具合を容易にチェックすることができる。
【００８９】
ＭＡＸベットボタン１３２を取り外す際には前述の手順を逆に行えばよく、規制部材２１７０を反時計回りに移動規制部２１６７ｄに当接するまで回動させることで押圧部２１７０ｇによる係止舌片２１６８の押し付けを解除すると、係止舌片２１６８の弾性により元の湾曲形状に戻り、係止状態も解除され、そのまま引き抜くだけでＭＡＸベットボタン１３２を取り外すことができる。このため、交換や組み付けにかかる時間や手間を減少させることができる。
【００９０】
また、本実施例によれば、規制部材２１７０が挿入口２１６９の壁面を兼ねているので、遊技台内のスペースを節約することができる。
【００９１】
＜＜実施例４＞＞
実施例４では、遊技台を構成する所定の構成部材を、遊技台に組み付ける際の構成を例に説明する。
【００９２】
図８は、係止部周辺を示す図であり、（ａ）は、係止舌片４１６８を挿入口４１６９に挿入した状態を示す側断面図であり、（ｂ）は、（ａ）の状態を、遊技台の内側から見た背面図であり、（ｃ）は、係止舌片４１６８の係止部４１６８ａを被係止部４１６７ａに係止して組み付けを完了した状態を示す側断面図であり、（ｄ）は、（ｃ）の状態を、遊技台の内側から見た背面図である。
【００９３】
挿入口４１６９に挿入された係止舌片４１６８は、変位可能な規制部材４１７０によって係止状態を変化させられる。すなわち、規制部材４１７０は、係止舌片４１６８を被係止部４１６７ａに係止しない非規制位置と、係止舌片４１６８を被係止部４１６７ａに係止する規制位置と、を移動可能に構成されている。
【００９４】
基部４１６７に設けられた挿入口４１６９は、係止舌片４１６８よりも大きく開いており、係止舌片４１６８を挿入口４１６９に挿入する際に何ら抵抗なく挿入することができる（図８（ａ）参照）。なお、本実施例では、挿入口４１６９の下側の壁面を規制部材４１７０で形成している。このように挿入口４１６９を予め係止舌片４１６８よりも大きく形成することで、挿入の際に係止舌片４１６８に応力が加わって変形させてしまうことや、破断する虞をなくしている。
【００９５】
図８（ｂ）を参照すると、規制部材４１７０は、軸４１７０ｂを中心に回動自在に軸支される。この規制部材４１７０は、規制部材４１７０を回動させる操作力を受容する凸形状の操作部４１７０ａを有し、構成部材の組み付けを行う作業者はこの操作部４１７０ａを操作して、規制部材４１７０を規制位置と非規制位置との間で回動させる。図８（ａ）および（ｂ）に示す係止舌片４１６８を挿入口４１６９に挿入する際には、規制部材４１７０は、係止舌片４１６８を被係止部４１６７ａに係止しない非規制位置にある。
【００９６】
係止舌片４１６８を挿入口４１６９に挿入すると、係止舌片４１６８の挿入規制部である肩部４１６８ｂが、基部４１６７の挿入規制部である端部４１６７ｂに当接し、係止舌片４１６８の挿入口４１６９に対する挿入方向への移動を規制する。このように、肩部４１６８ｂが端部４１６７ｂに当接することによって、これ以上奥には差し込めなくなっている。
【００９７】
この後、作業者は、操作部４１７０ａを操作して規制部材４１７０を図における時計回りに回動させる。
【００９８】
作業者が規制部材４１７０を回動させると、規制部材４１７０が係止舌片４１６８と接する位置における軸４１７０ｂからの距離が長くなり、規制部材４１７０が係止舌片４１６８を押し上げて壁面へと押圧して固定する。このとき、規制部材４１７０は、係止舌片４１６８を被係止部４１６７ａに係止する規制位置にある。
【００９９】
この状態で、規制部材４１７０が係止舌片４１６８を押し上げることによって、係止舌片４１６８の係止部４１６８ａを挿入口４１６９の奥の被係止部４１６７ａに係止する。すなわち、係止部４１６８ａが、被係止部４１６７ａに当接し、係止舌片４１６８の挿入口４１６９からの抜き取り方向への移動を規制する。
【０１００】
この構成部材を取り外す際には前述の手順を逆に行えばよく、規制部材４１７０を反時計回りに回動させることで規制部材４１７０による係止舌片４１６８の押し上げを解除すると、たとえば自重により係止舌片４１６８は下がり、係止状態も解除され、そのまま引き抜くだけでこの構成部材を取り外すことができる。このため、交換や組み付けにかかる時間や手間を減少させることができる。
【０１０１】
また、本実施例によれば、規制部材４１７０が挿入口４１６９の壁面を兼ねているので、遊技台内のスペースを節約することができる。
【０１０２】
また、規制部材４１７０の面と基部４１６７の面とを面一にすれば、意匠性を向上させることができる。
【０１０３】
また、規制部材４１７０を他の部品等と異なる色にすれば、規制部材４１７０の視認性を向上させ、作業効率を向上させることができる。
【０１０４】
＜＜実施例５＞＞
実施例５では、遊技台を構成する所定の構成部材を、遊技台に組み付ける際の構成を例に説明する。また、本実施例では、規制部材を新たに設けるのではなく、遊技台に元々用いていた構成（遊技装置）が規制部材を兼ねるようにしている。
【０１０５】
図９は、係止部周辺を示す図であり、（ａ）は、係止舌片５１６８を挿入口５１６９に挿入した状態を示す側断面図であり、（ｂ）は、（ａ）の状態を、遊技台の内側から見た背面図であり、（ｃ）は、係止舌片５１６８の係止部５１６８ａを被係止部５１６７ａに係止して組み付けを完了した状態を示す側断面図であり、（ｄ）は、（ｃ）の状態を、遊技台の内側から見た背面図である。
【０１０６】
挿入口５１６９に挿入された係止舌片５１６８は、変位可能な規制部材５１７０によって係止状態を変化させられる。すなわち、規制部材５１７０は、係止舌片５１６８を被係止部５１６７ａに係止しない非規制位置と、係止舌片５１６８を被係止部５１６７ａに係止する規制位置と、を移動可能に構成されている。
【０１０７】
本実施例において、規制部材５１７０は、遊技台のたとえば演出に用いる駆動用のソレノイド５１７１を収容するケースである。規制部材５１７０は、これに限られるものではなく、遊技台を構成する遊技装置であればどのような部材であってもかまわない。
【０１０８】
基部５１６７に設けられた挿入口５１６９は、係止舌片５１６８よりも大きく開いており、係止舌片５１６８を挿入口５１６９に挿入する際に何ら抵抗なく挿入することができる（図９（ａ）参照）。このように挿入口５１６９を予め係止舌片５１６８よりも大きく形成することで、挿入の際に係止舌片５１６８に応力が加わって変形させてしまうことや、破断する虞をなくしている。
【０１０９】
図９（ｂ）を参照すると、基部５１６７には、規制部材５１７０を取り付ける際の位置決め用のリブ５１６７ｃおよび規制部材５１７０を取り付ける際の固定用のネジ穴５１６７ｄが設けられている。図９（ａ）および（ｂ）に示す係止舌片５１６８を挿入口５１６９に挿入する際には、規制部材５１７０は、取り付けられておらず、係止舌片５１６８を被係止部５１６７ａに係止しない非規制位置にある。
【０１１０】
係止舌片５１６８を挿入口５１６９に挿入すると、係止舌片５１６８の挿入規制部である肩部５１６８ｂが、基部５１６７の挿入規制部である端部５１６７ｂに当接し、係止舌片５１６８の挿入口５１６９に対する挿入方向への移動を規制する。このように、肩部５１６８ｂが端部５１６７ｂに当接することによって、これ以上奥には差し込めなくなっている。
【０１１１】
この後、作業者は、規制部材５１７０を基部５１６７に取り付ける。作業者が規制部材５１７０を取り付けると、規制部材５１７０の端部５１７０ａが係止舌片５１６８を押し上げて壁面へと押圧して固定する。このとき、規制部材５１７０は、係止舌片５１６８を被係止部５１６７ａに係止する規制位置にある。
【０１１２】
この状態で、規制部材５１７０の端部５１７０ａが係止舌片５１６８を押し上げることによって、係止舌片５１６８の係止部５１６８ａを挿入口５１６９の奥の被係止部５１６７ａに係止する。すなわち、係止部５１６８ａが、被係止部５１６７ａに当接し、係止舌片５１６８の挿入口５１６９からの抜き取り方向への移動を規制する。
【０１１３】
この構成部材を取り外す際には前述の手順を逆に行えばよく、規制部材５１７０を取り外すことで規制部材５１７０による係止舌片５１６８の押し上げを解除すると、たとえば自重により係止舌片５１６８は下がり、係止状態も解除され、そのまま引き抜くだけでこの構成部材を取り外すことができる。このため、交換や組み付けにかかる時間や手間を減少させることができる。
【０１１４】
また、本実施例によれば、規制部材４１７０が挿入口４１６９の壁面を兼ねているので、遊技台内のスペースを節約することができる。
【０１１５】
本実施例によれば、元々取り付けが必要であった遊技台を構成する遊技装置が規制部材を兼ねるので、その遊技装置を取り付けるだけで規制部材を規制位置にすることができ、作業効率を向上させることができる。
【０１１６】
＜＜実施例６＞＞
実施例６では、実施例１と同様に、遊技台を構成する構成部材としてのクリアカバー１６５を前面扉１０２に組み付ける際の構成を例に説明する。
【０１１７】
本実施例では、クリアカバー１６５は、その端部に係止部材としての係止舌片６１６８を有する。係止舌片６１６８はクリアカバー１６５と一体成型で形成するものであることが望ましい。クリアカバー１６５を前面扉１０２に組み付ける際には、この係止舌片６１６８を演出装置基部６１６７に設けられた挿入口６１６９に挿入させ、係止舌片６１６８の係止部６１６８ａ（後述する）を挿入口６１６９の奥の被係止部６１７０ｂ（後述する）に係止することによって組み付ける。
【０１１８】
前面扉１０２を本体１０１に対して開いた内側において、挿入口６１６９に挿入された係止舌片６１６８は、変位可能な規制部材６１７０によって係止状態を変化させられる。すなわち、規制部材６１７０は、係止舌片６１６８を被係止部６１７０ｂに係止しない非規制位置と、係止舌片６１６８を被係止部１７０ｂに係止する規制位置と、を移動可能に構成されている。
【０１１９】
図１０は、クリアカバー１６５の係止舌片６１６８を挿入口６１６９に挿入して被係止部６１７０ｂに係止する様子を拡大して示す図であり、（ａ）は、係止舌片６１６８を挿入口６１６９に挿入している途中の状態を示す側断面図であり、（ｂ）は、（ａ）の状態を、前面扉１０２を本体１０１に対して開いた内側から見た背面図であり、（ｃ）は、係止舌片６１６８を挿入口６１６９に挿入し終えた状態を示す側断面図であり、（ｄ）は、（ｃ）の状態を、前面扉１０２を本体１０１に対して開いた内側から見た背面図であり、（ｅ）は、（ｃ）の状態から規制部材６１７０を移動させて係止舌片６１６８を被係止部６１７０ｂに係止した状態を示す側断面図であり、（ｆ）は、（ｅ）の状態を、前面扉１０２を本体１０１に対して開いた内側から見た背面図である。
【０１２０】
図１０（ａ）を参照すると、演出装置基部６１６７に設けられた挿入口６１６９は、係止舌片６１６８の係止部６１６８ａよりも大きく開いており、係止舌片６１６８を挿入口６１６９に挿入する際に何ら抵抗なく挿入することができる。このように挿入口６１６９を予めクリアカバー１６５の係止舌片６１６８よりも大きく形成することで、挿入の際に係止舌片６１６８に応力が加わって変形させてしまうことや、破断する虞をなくしている。
【０１２１】
図１０（ｂ）を参照すると、規制部材６１７０は、挿入口６１６９の近傍に、軸６１７０ａを中心に回動自在に軸支される。この規制部材６１７０は、規制部材６１７０を回動させる操作力を受容する操作部６１７０ｃを有し、クリアカバー１６５の組み付けを行う作業者はこの操作部６１７０ｃを操作して、規制部材６１７０を規制位置と非規制位置との間で回動させる。図１０（ｂ）に示す係止舌片６１６８を挿入口６１６９に挿入する際には、規制部材６１７０は、係止舌片６１６８を被係止部６１７０ｂに係止しない非規制位置にある。
【０１２２】
図１０（ｃ）を参照すると、係止舌片６１６８を挿入口６１６９に挿入すると、係止舌片６１６８の挿入規制部である肩部６１６８ｂが、演出装置基部６１６７の挿入規制部である端部６１６７ｂに当接し、係止舌片６１６８の挿入口６１６９に対する挿入方向への移動を規制する。この状態での背面から見た様子は図１０（ｄ）に示すとおりである。このように、肩部６１６８ｂが端部６１６７ｂに当接することによって、これ以上奥には差し込めなくなっている。係止舌片６１６８の長さを挿入口６１６９の深さとほぼ同一にすることで、固定の位置を合わせることが可能となる。
【０１２３】
この後、作業者は、操作部６１７０ｃを操作して規制部材６１７０を図における反時計回りに回動させる。演出装置基部６１６７には移動規制部６１６７ｃが設けられており、規制部材６１７０には移動規制部６１７０ｄが設けられている。作業者が規制部材６１７０を回動させていくと、規制部材６１７０の端部６１７０ｂが係止舌片１６８の凹部に嵌って固定した位置で、移動規制部６１６７ｃが移動規制部６１７０ｄに嵌り、規制部材６１７０がこれ以上に回動しないように移動を規制する（図１０（ｅ）、（ｆ）参照）。このとき、規制部材６１７０は、係止舌片６１６８を被係止部６１７０ｂに係止する規制位置にある。移動規制部６１６７ｃが移動規制部６１７０ｄに嵌ることにより、規制部材６１７０は、規制位置に保持される。
【０１２４】
図１０（ｅ）を参照すると、規制部材６１７０の端部６１７０ｂが係止舌片１６８の凹部に嵌ることによって、係止舌片１６８の係止部６１６８ａを挿入口６１６９の奥の被係止部６１７０ｂに係止する。すなわち、本実施例では規制部材６１７０の端部が被係止部を兼ねており、係止部６１６８ａが、被係止部１７０ａに当接し、係止舌片６１６８の挿入口６１６９からの抜き取り方向への移動を規制する。
【０１２５】
クリアカバー１６５を取り外す際には前述の手順を逆に行えばよく、規制部材６１７０を時計回りに回動させることで端部６１７０ｂの係止舌片１６８の凹部への嵌合を解除すると、係止状態も解除され、そのまま引き抜くだけでクリアカバー１６５を取り外すことができる。このため、交換や組み付けにかかる時間や手間を減少させることができる。
【産業上の利用可能性】
【０１２６】
本発明に係る遊技台は、スロットマシンなどに代表される遊技台に適用することができる。
【符号の説明】
【０１２７】
１００  スロットマシン
１０１  本体
１０２  前面扉
１１０  左リール
１１１  中リール
１１２  右リール
１１３  図柄表示窓
１１４  入賞ライン
１２０  入賞ライン表示ランプ
１２１  遊技開始ランプ
１２３  告知ランプ
１２４  メダル投入ランプ
１２５  貯留枚数表示器
１２６  遊技情報表示器
１２７  払出枚数表示器
１２８  リールパネルランプ
１３０  ベットボタン
１３２  ＭＡＸベットボタン
１３３  メダル返却ボタン
１３４  精算ボタン
１３５  スタートレバー
１３７〜１３９  ストップボタン
１４０  ドアキー孔
１４１  メダル投入口
１５５  メダル払出口
１６１  メダル受皿
１６０  演出装置
１６２  タイトルパネル
１６５  クリアカバー
１６６  可動演出装置
１６７  演出装置基部
１６７ａ  被係止部
１６８  係止舌片（係止部材）
１６８ａ  係止部
１６９  挿入口
１７０  規制部材
【図１】
2010214026.tif 000003
【図２】
2010214026.tif 000004
【図３】
2010214026.tif 000005
【図４】
2010214026.tif 000006
【図５】
2010214026.tif 000007
【図６】
2010214026.tif 000008
【図７】
2010214026.tif 000009
【図８】
2010214026.tif 000010
【図９】
2010214026.tif 000011
【図１０】
2010214026.tif 000012